(57)【要約】【課題】本発明は、構造を改善した太陽電池及びこれを含む太陽電池パネルを提供する。【解決手段】本発明の実施の形態に係る太陽電池は、半導体基板と前記半導体基板に、または前記半導体基板上に位置する導電型領域と、前記導電型領域に電気的に接続される電極を含む。前記電極は、第１電極部と、前記第１電極部の上に位置する第２電極部を含む。前記第２電極部は、第１金属を含む複数の粒子が接続されて形成された粒子接続層と、前記第１金属と他の第２金属を含み、少なくとも前記粒子接続層の外側表面を覆うカバー層を含む。【選択図】図５
2020113760.tif 000002
【特許請求の範囲】
【請求項１】
傾斜部を備える半導体基板と、
前記半導体基板の一面に、または前記半導体基板の一面上に形成された第１導電型領域及び第２導電型領域と、
前記半導体基板の前記一面上で前記第１導電型領域に接続される第１電極と、
前記半導体基板の前記一面上で前記第２導電型領域に接続される第２電極と、を含み、
前記第１電極及び第２電極の内、少なくとも一つは、
第１方向に延長される複数の内側フィンガー部及び前記第１方向と交差する第２方向の端に隣接する部分で前記第１方向に延長される複数の外側フィンガー部を含むフィンガー部と、
前記傾斜部に隣接した一側から前記複数の外側フィンガー部の少なくとも一部を接続する接続部と、を含む、太陽電池。
【請求項２】
前記接続部は、前記複数の外側フィンガー部と交差する方向に延長される、請求項１に記載の太陽電池。
【請求項３】
前記接続部は、前記傾斜部と平行に延長され、前記複数の外側フィンガー部の内、少なくとも一部の端部を接続する、請求項１に記載の太陽電池。
【請求項４】
前記接続部の幅は、前記外側フィンガー部の幅及び前記内側フィンガー部の幅と同じか、それより小さい、請求項１に記載の太陽電池。
【請求項５】
前記傾斜部は、前記第２方向の端から前記第１方向の一側と他側にそれぞれ位置する第１傾斜部及び第２傾斜部を含み、
前記第１電極は、
前記第１方向に延長される複数の第１内側フィンガー部及び前記端に隣接する部分で前記第１方向に延長される複数の第１外側フィンガー部を含む複数の第１フィンガー部と、
前記第１傾斜部に隣接する前記一側で前記複数の第１外側フィンガー部の少なくとも一部を接続する第１接続部と、を含み、
前記第２電極は、
前記第１方向に延長される複数の第２内側フィンガー部及び前記端に隣接する部分で前記第１方向に延長される複数の第２外側フィンガー部を含む複数の第２フィンガー部と、
前記第２傾斜部に隣接する前記他側で前記複数の第２外側フィンガー部の少なくとも一部を接続する第２接続部と、を含む、請求項１に記載の太陽電池。
【請求項６】
前記第２方向で、前記第１フィンガー部と前記第２フィンガー部は、交互に位置し、
前記第１傾斜部で、前記第１接続部は、前記第２外側フィンガー部と離隔されて位置し、
前記第２傾斜部で、前記第２接続部は、前記第１外側フィンガー部と離隔されて位置する、請求項５に記載の太陽電池。
【請求項７】
前記第１傾斜部で、前記第１接続部と前記第２外側フィンガー部の端部との間の距離は、前記第１接続部の幅と同じか、それより大きい、または、
前記第２傾斜部で、前記第２接続部と前記第１外側フィンガー部の端部との間の距離は、前記第２接続部の幅と同じか、それより大きい、請求項６に記載の太陽電池。
【請求項８】
前記第１接続部と前記第２外側フィンガー部の端部との間の距離は、前記第１接続部と前記第１傾斜部との間の距離と同じか、それより大きい、または、
前記第２接続部と前記第１外側フィンガー部の端部との間の距離は、前記第２接続部と前記第２傾斜部との間の距離と同じか、それより大きい、請求項６に記載の太陽電池。
【請求項９】
前記半導体基板は、前記第２導電型領域と同じかつ前記第１導電型領域と反対の導電型を有し、
前記第２接続部の幅は、前記第１接続部の幅と同じか、それより小さい、請求項５に記載の太陽電池。
【請求項１０】
前記第２フィンガー部の幅は、前記第１フィンガー部の幅と同じか、それより小さい、請求項９に記載の太陽電池。
【請求項１１】
前記傾斜部は、
前記第２方向の第１端から前記第１方向の一側と他側にそれぞれ位置する第１傾斜部及び第２傾斜部と、
前記第２方向で前記第１端と反対になる第２端から前記第１方向の一側と他側にそれぞれ位置する第３傾斜部及び第４傾斜部と、を含み、
前記第１電極は、
前記第１方向に延長される複数の第１内側フィンガー部及び前記第１端及び第２端のそれぞれに隣接する部分で前記第１方向に延長される複数の第１外側フィンガー部を含む複数の第１フィンガー部と、
前記第１傾斜部及び第３傾斜部のそれぞれに隣接した前記一側で前記複数の第１外側フィンガー部の少なくとも一部を接続する第１接続部と、を含み、
前記第２電極は、
前記第１方向に延長される複数の第２内側フィンガー部及び前記第１端及び第２端のそれぞれに隣接する部分で前記第１方向に延長される複数の第２外側フィンガー部を含む複数の第２フィンガー部と、
前記第２傾斜部及び第４傾斜部のそれぞれに隣接した前記他側で前記複数の第２外側フィンガー部の少なくとも一部を接続する第２接続部と、を含む、請求項１に記載の太陽電池。
【請求項１２】
傾斜部を備える半導体基板と、前記半導体基板の一面に、または前記半導体基板の一面上に形成された第１導電型領域及び第２導電型領域と、前記半導体基板の前記一面上で前記第１導電型領域に接続される第１電極と、前記半導体基板の前記一面上で前記第２導電型領域に接続される第２電極と、を含む太陽電池と、
前記太陽電池の前記一面側で、前記太陽電池の前記第１電極に接続される複数の第１配線、及び前記太陽電池の前記第２電極に接続される複数の第２配線を含む配線材と、を含み、
前記第１電極及び第２電極の内、少なくとも一つは、
第１方向に延長される複数の内側フィンガー部及び前記第１方向と交差する第２方向の端に隣接する部分で前記第１方向に延長される複数の外側フィンガー部を含むフィンガー部と、
前記傾斜部に隣接する一側から前記複数の外側フィンガー部の少なくとも一部を接続する接続部と、を含む、太陽電池パネル。
【請求項１３】
前記第１配線及び第２配線は、前記第２方向に延長され、前記第１方向で互いに交互に位置し、
前記傾斜部にそれぞれ、前記第１配線は、少なくとも一つ位置し、前記第２配線は、少なくとも一つ位置する、請求項１２に記載の太陽電池パネル。
【請求項１４】
前記傾斜部は、前記第２方向の端から前記第１方向の一側と他側にそれぞれ位置する第１傾斜部及び第２傾斜部を含み、
前記第１電極は、
前記第１方向に延長される複数の第１内側フィンガー部及び前記端に隣接する部分で前記第１方向に延長される複数の第１外側フィンガー部を含む複数の第１フィンガー部と、
前記第１傾斜部に隣接する前記一側で前記複数の第１外側フィンガー部の少なくとも一部を接続する第１接続部と、を含み、
前記第２電極は、
前記第１方向に延長される複数の第２内側フィンガー部及び前記端に隣接する部分で前記第１方向に延長される複数の第２外側フィンガー部を含む複数の第２フィンガー部と、
前記第２傾斜部に隣接する前記他側で前記複数の第２外側フィンガー部の少なくとも一部を接続する第２接続部と、を含む、請求項１２に記載の太陽電池パネル。
【請求項１５】
前記第１傾斜部と前記第２傾斜部の間に位置する第１端の第１メイン部分の一側から、前記第１配線は、前記第２配線より前記第１傾斜部から離れて位置し、
前記第１端の前記第１メイン部分の他側から、前記第２配線は、前記第１配線より前記第２傾斜部から離れて位置する、請求項１４に記載の太陽電池パネル。
【請求項１６】
前記第１配線は、前記第２方向の一側から外部に延長され、
前記第２方向の他側に位置する前記第１配線の端部は、前記太陽電池の内部で、前記傾斜部及び前記接続部から離隔して位置し、
前記第２配線は、前記第２方向の前記他側から外部に延長され、
前記第２方向の前記一側に位置する前記第２配線の端部は、前記太陽電池の内部で、前記傾斜部及び前記接続部から離隔して位置する、請求項１５に記載の太陽電池パネル。
【請求項１７】
前記第２方向で、前記第１フィンガー部と前記第２フィンガー部は、交互に位置し、
前記第１配線及び第２配線は、前記第２方向に延長され、前記第１方向で互いに交互に位置し、
前記第１電極と前記第１配線の間、及び前記第２電極と前記第２配線の間に位置する接続部材をさらに含み、
前記第２電極と前記第１配線の間、及び前記第１電極と前記第２配線の間に位置する絶縁部材をさらに含む、請求項１４に記載の太陽電池パネル。
【請求項１８】
前記絶縁部材は、前記第１接続部または第２接続部に隣接した延長絶縁部材、及び前記延長絶縁部材と異なる形状または大きさを有するメイン絶縁部材を含む、請求項１７に記載の太陽電池パネル。
【請求項１９】
前記延長絶縁部材は、前記第１方向の幅がメイン絶縁部材の幅の半分以下の部分を含み、
前記延長絶縁部材は、前記第２方向で、前記複数の第１外側フィンガー部または第２外側フィンガー部、及びこれらの間に位置する前記第２外側フィンガー部または第１外側フィンガー部を覆うように延長された、請求項１８に記載の太陽電池パネル。
【請求項２０】
前記延長絶縁部材は、前記第１配線または第２配線が通り過ぎる部分において、前記第１接続部または第２接続部を覆うように形成される、請求項１９に記載の太陽電池パネル。
【発明の詳細な説明】
【技術分野】
【０００１】
本発明は、太陽電池及びこれを含む太陽電池パネルに関し、さらに詳細には、構造を改善した太陽電池及びこれを含む太陽電池パネルに関する。
【背景技術】
【０００２】
太陽電池は、様々な層及び電極を設計に基づいて形成することにより製造することができる。ところが、このような様々な層及び電極の設計に基づいて、太陽電池の効率が決定されることができる。太陽電池の商用化のためには、低効率を克服しなければならないところ、様々な層及び電極が太陽電池の効率及びこれを含む太陽電池パネルの出力を最大化することができるように設計されることが要求される。
【０００３】
従来の太陽電池において半導体基板の前面と後面に前面電極と後面電極がそれぞれ位置し、隣接する太陽電池は、リボンなどのインターコネクタを用いて電気的に接続された。このとき、各太陽電池の一面にリボンが少ない数（例えば、３個）で位置し、キャリアの移動距離が長く、前面電極による光損失が発生し、太陽電池の効率を向上するには限界があった。
【０００４】
これに対し、半導体基板の後面に互いに異なる極性の電極が一緒に位置する後面電極構造を有する太陽電池が提案された。このような後面電極構造を有する太陽電池は、電極と交差する方向に位置する配線によって電気的に接続された。しかし、このような構造によっても、キャリアの移動距離が長い部分が存在した。例えば、半導体基板の各コーナー付近に傾斜部を備える場合には、各コーナー付近で電極が他の部分より短い長さを有するので、配線と直接接続されない電極に沿って移動するキャリアの移動経路が長い問題があった。
【０００５】
従来の特許文献に記載されたように、互いに異なる極性の電極が互いに異なる面に位置する構造においては、一対の斜辺部を含む台形型電極部を備えることが開示された。しかし、このような一対の斜辺部を含む台形型電極部の構造は、後面電極構造を有する太陽電池において、後面に、互いに異なる極性の電極が一緒に位置する構造では、キャリアの移動経路を減らすには適していない。
【先行技術文献】
【特許文献】
【０００６】
【特許文献１】特許第５８５７２３７号公報
【発明の概要】
【発明が解決しようとする課題】
【０００７】
本発明の目的は、電極の構造を改善して優れた効率を有する太陽電池及びこれを含み優れた出力を有する太陽電池パネルを提供する。
【０００８】
さらに具体的に、キャリアの移動距離が長くなることができる部分でキャリアの移動距離を減らし、優れた効率を有する太陽電池及びこれを含み優れた出力を有する太陽電池パネルを提供する。
【０００９】
特に、半導体基板が角付近で傾斜部を備えている場合に傾斜部に隣接する部分でキャリアの移動距離を減らすことができる電極構造を有し、優れた効率を有する太陽電池及びこれを含み優れた出力を有する太陽電池パネルを提供する。
【課題を解決するための手段】
【００１０】
本発明の実施の形態に係る太陽電池は、半導体基板の傾斜部に隣接する一側で複数の外側フィンガー部の少なくとも一部を接続する接続部を含む電極を含む。このような接続部によって、キャリアの移動距離を短縮することができる。一例として、本実施の形態に係る太陽電池は、傾斜部を有する半導体基板と、半導体基板の一面に、またはその上に形成された第１及び第２導電型領域、及び、これらにそれぞれ接続される第１及び第２電極を有する後面電極構造を有することができる。このような後面電極構造で接続部によるキャリアの移動距離を減らす効果を増加させることができる。前述した第１及び第２電極の内、少なくとも１つが接続部を備えることができ、フィンガー部をさらに備えることができる。ここで、フィンガー部は第１方向に延長される複数の内側フィンガー部、及び第１方向と交差する第２方向の端に隣接した部分で第１方向に延長される複数の外側フィンガー部を含むことができる。
【００１１】
前記接続部が前記複数の外側フィンガー部と交差する方向に延長されることができる。
【００１２】
前記接続部が前記傾斜部と平行に延長され、前記複数の外側フィンガー部の少なくとも一部の端部を接続することができる。
【００１３】
前記接続部の幅が、前記外側フィンガー部の幅及び前記内側フィンガー部の幅と同じか、それより小さいことができる。
【００１４】
前記傾斜部は、前記第２方向の端から前記第１方向の一側と他側にそれぞれ位置する第１及び第２傾斜部を含むことができる。前記第１電極は、前記第１方向に延長される複数の第１内側フィンガー部及び前記端に隣接する部分で前記第１方向に延長される複数の第１外側フィンガー部を含む複数の第１フィンガー部、及び、前記第１傾斜部に隣接する前記一側で前記複数の第１外側フィンガー部の少なくとも一部を接続する第１接続部を含むことができる。そして、前記第２電極は、前記第１方向に延長される複数の第２内側フィンガー部及び前記端に隣接する部分で前記第１方向に延長される複数の第２外側フィンガー部を含む複数の第２フィンガー部、及び、前記第２傾斜部に隣接する前記他側で前記複数の第２外側フィンガー部の少なくとも一部を接続する第２接続部を含むことができる。
【００１５】
前記第２方向で前記第１フィンガー部と前記第２フィンガー部が交互に位置することができる。前記第１傾斜部で前記第１接続部が前記第２外側フィンガー部と離隔して位置することができ、前記第２傾斜部で前記第２接続部が、前記第１外側フィンガー部と離隔して位置することができる。
【００１６】
前記第１傾斜部で前記第１接続部と前記第２外側フィンガー部の端部との間の距離が前記第１接続部の幅と同じか、それより大きい、または前記第２傾斜部で前記第２接続部と前記第１外側フィンガー部の端部との間の距離が前記第２接続部の幅と同じか、それより大きいことができる。
【００１７】
前記第１接続部と前記第２外側フィンガー部端部との間の距離が、前記第１接続部と前記第１傾斜部との間の距離と同じかそれより大きい、または前記第２接続部と、前記第１外側フィンガー部端部との間の距離が前記第２接続部と前記第２傾斜部との間の距離と同じかそれより大きいことができる。
【００１８】
前記半導体基板が前記第２導電型領域と同じであり、前記第１導電型領域と反対の導電型を有し、前記第２接続部の幅が前記第１接続部の幅と同じか、それより小さいことができる。
【００１９】
前記第２フィンガー部の幅が前記第１フィンガー部の幅と同じか、それより小さいことができる。
【００２０】
前記傾斜部は、前記第２方向の第１端で前記第１方向の一側と他側にそれぞれ位置する第１及び第２傾斜部と、前記第２方向で前記第１端と反対の第２端で前記第１方向の一側と他側にそれぞれ位置する第３及び第４傾斜部を含むことができる。前記第１電極は、前記第１方向に延長される複数の第１内側フィンガー部及び前記第１及び第２端のそれぞれに隣接する部分で前記第１方向に延長される複数の第１外側フィンガー部を含む複数の第１フィンガー部、及び、前記第１及び第３傾斜部のそれぞれに隣接した前記一側で前記複数の第１外側フィンガー部の少なくとも一部を接続する第１接続部を含むことができる。前記第２電極は、前記第１方向に延長される複数の第２内側フィンガー部及び前記第１及び第２端のそれぞれに隣接する部分で前記第１方向に延長される複数の第２外側フィンガー部を含む複数の第２フィンガー部、及び、前記第２及び第４傾斜部のそれぞれに隣接した前記他側で前記複数の第２外側フィンガー部の少なくとも一部を接続する第２接続部を含むことができる。
【００２１】
本実施の形態に係る太陽電池パネルは、前述した太陽電池と、配線材を含むことができる。ここで、配線材は、太陽電池の一面側で、太陽電池の第１電極に接続される複数の第１配線、及び、前記太陽電池の前記第２電極に接続される複数の第２配線を含む配線材を含むことができる。
【００２２】
この時、前記第１及び第２配線が前記第２方向に延長され、前記第１方向で互いに交互に位置し、前記傾斜部にそれぞれ前記第１配線が少なくとも一つ位置し、前記第２配線が、少なくとも一つ位置することができる。ここで、前記第１傾斜部と前記第２傾斜部の間に位置する前記第１端の第１メイン部分の一側から前記第１配線が前記第２配線より前記第１傾斜部から離れて位置し、前記第１端の前記第１メイン部分の他側で前記第２配線が前記第１配線より前記第２傾斜部から離れて位置することができる。このような構造で傾斜部に位置した、前記第１及び第２配線に移動するキャリアの移動距離を効果的に減らすことができる。
【００２３】
前記第１配線が前記第２方向の一側から外部に延長され、前記第２方向の他側に位置する前記第１配線の端部が前記太陽電池の内部において、前記傾斜部及び前記接続部から離隔されて位置することができる。前記第２配線が前記第２方向の前記他側から外部に延長され、前記第２方向の前記一側に位置する前記第２配線の端部が前記太陽電池の内部で、前記傾斜部及び前記接続部から離隔されて位置することができる。
【００２４】
前記第２方向で前記第１フィンガー部と前記第２フィンガー部が交互に位置し、前記第１及び第２配線が前記第２方向に延長され、前記第１方向で互いに交互に位置することができる。前記第１電極と前記第１配線の間には、前記第２電極と前記第２配線の間に位置する接続部材をさらに含み、前記第２電極と、前記第１配線の間、及び前記第１電極と前記第２配線の間に位置する絶縁部材をさらに含むことができる。
【００２５】
ここで、前記絶縁部材は、前記第１または第２接続部に隣接した延長絶縁部材、及び前記延長絶縁部材と異なる形状または大きさを有するメイン絶縁部材を含むことができる。例えば、前記延長絶縁部材は、前記第１方向の幅がメイン絶縁部材の幅の半分以下である部分を含むことができる。そして前記延長絶縁部材は、前記第２方向において、前記複数の第１または第２外側フィンガー部、及びこれらの間に位置する前記第２または第１外側フィンガー部を覆うように延長することができる。一例として、前記延長絶縁部材が前記第１または第２配線が通り過ぎる部分において、前記第１または第２接続部を覆うように形成されることができる。このような延長絶縁部材によって前記第１または第２接続部が備えられた構造で構造的安定性、電気的安定性などを向上することができる。
【発明の効果】
【００２６】
本実施の形態に係ると、傾斜部に形成された接続部によって傾斜部に隣接する部分でキャリアの移動経路を減らすことができる。これにより直列抵抗を低減し、充密度を向上することができ、太陽電池の効率を向上することができる。ここで、接続部は、電極を形成する工程で形成することができ、別の工程を追加しない単純な工程で太陽電池の効率を向上することができる。
【００２７】
また、傾斜部に配線が位置する太陽電池パネルにおいて出力損失（ＣＴＭ ｌｏｓｓ）を効果的に低減して太陽電池パネルの出力を向上することができる。
【図面の簡単な説明】
【００２８】
【図１】本発明の実施の形態に係る太陽電池パネルの概略を示す分解斜視図である。
【図２】図１に示した太陽電池パネルに含まれた２つの太陽電池と、これを接続する配線部を概念的に示す部分断面図である。
【図３】図１に示した太陽電池パネルに含まれた太陽電池の一例を示す断面図である。
【図４】図１に示した太陽電池パネルに含まれ、互いに隣接した二つの太陽電池、配線材、接続配線、絶縁部材及び接続部材の概略を示した後面平面図である。
【図５】図４のＡ乃至Ｄ部分の半導体基板、電極及び配線材を拡大して示す平面図である。
【図６】図４のＡ乃至Ｄ部分の半導体基板、電極、絶縁部材及び接続部材を拡大して示す平面図である。
【図７】本発明の他の実施の形態に係る太陽電池パネルに含まれる太陽電池と配線材を示す平面図である。
【図８】本発明のまた他の実施の形態に係る太陽電池パネルに含まれる太陽電池と配線材を示す平面図である。
【図９】本発明のまた他の実施の形態に係る太陽電池パネルに含まれる太陽電池と配線材を示す平面図である。
【図１０】本発明のまた他の実施の形態に係る太陽電池パネルに含まれる太陽電池と配線材を示す平面図である。
【図１１】製造例１と比較例１に基づいて製造された複数の太陽電池の平均効率を測定してその結果を示したグラフである。
【図１２】製造例１と比較例１に基づいて製造された太陽電池パネルの出力損失を測定してその結果を示したグラフである。
【発明を実施するための形態】
【００２９】
以下では、添付した図面を参照して、本発明の実施の形態を詳細に説明する。しかし、本発明は、このような実施の形態に限定されるものではなく、様々な形態に変形することができることはもちろんである。
【００３０】
図では、本発明を明確かつ簡略に説明するために説明と関係ない部分の図示を省略し、明細書全体を通じて同一または極めて類似の部分に対しては、同一の図面参照符号を使用する。そして、図面では、説明をさらに明確にするために厚さ、広さなどを拡大または縮小して示したところ、本発明の厚さ、広さなどは図面に示されたところに限定されない。
【００３１】
そして、明細書全体においてある部分が他の部分を"含む"とするとき、特に反対の記載がない限り、他の部分を排除するものではなく、他の部分をさらに含むことができる。また、層、膜、領域、板などの部分が他の部分の"上に"あるとする時、これは他の部分の"真上に"ある場合だけでなく、その中間に他の部分が位置する場合も含む。層、膜、領域、板などの部分が他の部分の"真上に"あるとするときは、中間に他の部分が位置しないことを意味する。
【００３２】
以下、添付した図面を参考にして本発明の実施の形態に係る太陽電池パネルと、これに含まれる太陽電池を詳細に説明する。
【００３３】
図１は、本発明の一実施の形態に係る太陽電池パネルの概略を示す分解斜視図であり、図２は、図１に示した太陽電池パネルに含まれた２つの太陽電池と、これを接続する配線部を概念的に示した部分断面図である。
【００３４】
図１及び図２を参照すると、本実施の形態に係る太陽電池パネル１００は、太陽電池１０と、太陽電池１０に電気的に接続される配線部１４０を含む。そして、太陽電池パネル１００は、太陽電池１０及び配線部１４０を囲んで密封するシール材１３０と、シール材１３０の上で太陽電池１０の一面（一例として、前面）に位置する第１カバー部材１１０と、シール材１３０の上で太陽電池１０の他面（一例として、後面）に位置する第２カバー部材１２０を含む。これをさらに詳細に説明する。
【００３５】
まず、太陽電池１０は、半導体基板（図３の参照符号１２、以下同じ）と、半導体基板１２の一面（一例として、後面）に位置する第１及び第２電極（図３の参照符号４２、４４、以下同じ）を含むことができる。これについては後で図３を参照して、詳細に説明する。
【００３６】
本実施の形態において、太陽電池パネル１００は、複数の太陽電池１０を備え、複数の太陽電池１０は、配線部１４０によって電気的に直列、並列または直並列に接続することができる。
【００３７】
具体的に、配線部１４０は、少なくとも一部が太陽電池１０の第１及び第２電極（４２、４４）と重畳されて、第１及び第２電極（４２、４４）に接続される配線材１４２と、太陽電池１０の間で配線材１４２と交差する方向に位置して配線材１４２に接続される接続配線１４４を含むことができる。配線材１４２との接続配線１４４によって、複数の太陽電池１０が一方向（図のｘ軸方向）に接続されて１つの列（つまり、太陽電池ストリング）を形成することができる。配線材１４２及び接続配線１４４に対しては、後に、図４を参照して、さらに詳細に説明する。そして、配線部１４０は、太陽電池ストリングの両端に位置し、これをまた他の太陽電池ストリングまたはジャンクションボックス（図示せず）に接続するバスバー配線１４６をさらに含むことができる。
【００３８】
配線材１４２、接続配線１４４、バスバー配線１４６は、それぞれ導電性物質（一例として、金属物質）を含むことができる。一例として、配線材１４２、接続配線１４４、またはバスバー配線１４６が、金（Ａｕ）、銀（Ａｇ）、銅（Ｃｕ）またはアルミニウム（Ａｌ）の内、いずれか１つを含む導電性コアと、導電性コアの表面上に位置し、スズ（Ｓｎ）またはスズを含む合金を含む導電性コーティング層を含むことができる。一例として、コアは、銅で形成されることができ、導電性コーティング層は、スズを含む合金であるＳｎＢｉＡｇで形成されることができる。しかし、本発明がこれに限定されるものではなく、配線材１４２、接続配線１４４、またはバスバー配線１４６の物質、形状、リンク構造などは多様に変形することができる。また、接続配線１４４を別途備えずに配線材１４２でのみ隣接した太陽電池１０を接続することもできる。
【００３９】
シール材１３０は、配線材１４２によって接続された太陽電池１０の前面に位置する第１シール材１３１と、太陽電池１０の後面に位置する第２シール材１３２を含むことができる。第１シール材１３１と第２シール材１３２は、水分と酸素の流入を防止し、太陽電池パネル１００の各要素を化学的に結合する。第１及び第２シール材（１３１、１３２）は、透光性と接着性を有する絶縁物質で構成されることができる。一例として、第１シール材１３１と第２シール材１３２でエチレン酢酸ビニル共重合体樹脂（ＥＶＡ）、ポリビニルブチラール、ケイ素樹脂、エステル系樹脂、オレフィン系樹脂などが用いられる。第１及び第２シール材（１３１、１３２）を用いたラミネート工程などによって第２カバー部材１２０、第２シール材１３２、太陽電池１０、配線部１４０、第１シール材１３１、第１カバー部材１１０が一体化され、太陽電池パネル１００を構成することができる。
【００４０】
第１カバー部材１１０は、第１シール材１３１上に位置して太陽電池パネル１００の前面を構成し、第２カバー部材１２０は、第２シール材１３２上に位置して、太陽電池パネル１００の後面を構成する。第１カバー部材１１０及び第２カバー部材１２０は、それぞれ、外部の衝撃、湿気、紫外線などから太陽電池１０を保護することができる絶縁物質で構成されることができる。そして、第１カバー部材１１０は、光が透過することができる透光性物質で構成され、第２カバー部材１２０は、透光性物質、非透光性物質、または反射物質などで構成されるシートで構成されることができる。一例として、第１カバー部材１１０が、ガラス基板などで構成することができ、第２カバー部材１２０がフィルムまたはシートなどで構成されることができる。第２カバー部材１２０は、ＴＰＴ（Ｔｅｄｌａｒ/ＰＥＴ/Ｔｅｄｌａｒ）タイプを有する、またはベースフィルム（例えば、ポリエチレンテレフタレート（ＰＥＴ））の少なくとも一面に形成されたポリフッ化ビニリデン（poly vinylidene fluoride、ＰＶＤＦ）樹脂層を含むことができる。
【００４１】
しかし、本発明がこれに限定されるものではない。したがって、第１及び第２シール材（１３１、１３２）、第１カバー部材１１０、または第２カバー部材１２０が、前述した説明以外の様々な物質を含むことができ、様々な形態を有することができる。例えば、第１カバー部材１１０または第２カバー部材１２０が、様々な形態（例えば、基板、フィルム、シートなど）または物質を有することができる。
【００４２】
図３を参照して、本発明の実施の形態に係る太陽電池パネル１００に含まれる太陽電池１０の一例をさらに詳細に説明する。図３は、図１に示した太陽電池パネル１００に含まれた太陽電池１０の一例を示す断面図である。
【００４３】
図３を参照すると、本実施の形態に係る太陽電池１０は、傾斜部（図４の参照符号１４、以下同じ）を備える半導体基板１２と、半導体基板１２の一面（一例として、後面）または一面上に形成された第１及び第２導電型領域（３２、３４）と、半導体基板１２の一面上で第１及び第２導電型領域（３２、３４）にそれぞれ接続される第１及び第２電極（４２、４４）を含む。このように、太陽電池１０が、半導体基板１２の後面に互いに反対になる極性のキャリアと関連した、第１及び第２導電型領域（３２、３４）、及び、第１及び第２電極（４２、４４）が互いに離隔するように一緒に位置する後面電極構造を有することができる。
【００４４】
一例として、半導体基板１２は、第１または第２導電型ドーパントを含む結晶質半導体（例えば、単結晶または多結晶半導体、一例として、単結晶または多結晶シリコン、特に単結晶シリコン）で構成されたベース領域１２ａを含むことができる。このように結晶性が高くて、欠陥の少ないベース領域１２ａまたは半導体基板１２に基づいた太陽電池１０は、電気的特性が優れる。
【００４５】
半導体基板１２の前面には、前面電界領域１２ｂが位置することができる。一例として、前面電界領域１２ｂは、ベース領域１２ａと同じ導電型を有し、ベース領域１２ａより高いドーピング濃度を有するドーピング領域に、半導体基板１２の一部を構成することができる。しかし、本発明がこれに限定されるものではない。したがって、前面電界領域１２ｂが半導体基板１２と別に位置する半導体層であるか、ドーパントを有さず、固定電荷等を有する酸化膜などで構成されるなど、様々な変形が可能である。
【００４６】
そして、半導体基板１２の前面は、反射を防止するための反射防止構造（一例として、半導体基板１２の１１１面で構成されたピラミッド形状のテクスチャリング構造）を備え、反射を最小化することができる。そして、半導体基板１２の後面は、鏡面研磨された面で構成されて、前面より小さい表面粗さを有してパッシベーション特性を向上することができる。しかし、本発明がこれに限定されるものではなく、様々な変形が可能である。
【００４７】
半導体基板１２の後面の上で半導体基板１２と導電型領域（３２、３４）との間に中間膜２０が位置することができる。中間膜２０は、半導体基板１２の後面の上に全体的に位置（一例として、接触）することができる。
【００４８】
中間膜２０は、半導体基板１２の表面をパッシベーションするパッシベーション膜の役割をすることができる。または、中間膜２０が導電型領域（３２、３４）のドーパントが半導体基板１２に過度に拡散することを防止するドーパントの制御の役割または拡散バリアとしての役割を実行することができる。このような中間膜２０は、前述した役割を実行することができる様々な物質を含むことができるが、一例として、酸化膜、シリコンを含む誘電膜または絶縁膜、窒化酸化膜、炭化酸化膜、真性非晶質シリコン膜などで行うことができる。一例として、導電型領域（３２、３４）が多結晶半導体で構成されると、中間膜２０は、容易に製造することができ、キャリア伝達が円滑に行われることができるシリコン酸化膜で有り得る。他の例として、導電型領域（３２、３４）が非晶質半導体で構成されると、中間膜２０が真性非晶質シリコン膜で構成されることができる。
【００４９】
中間膜２０の厚さが前面パッシベーション膜２４、反射防止膜２６及び後面パッシベーション膜４０より小さいことがある。一例として、中間膜２０の厚さが１０ｎｍ以下（例えば、５ｎｍ以下、さらに具体的には、２ｎｍ以下、一例として、０．５ｎｍ乃至２ｎｍ）で有り得る。これは中間膜２０の効果を十分に実現するためのものであるが、本発明がこれに限定されるものではない。
【００５０】
中間膜２０の上には導電型領域（３２、３４）を含む半導体層３０が位置（一例として、接触）することができる。さらに具体的に、第１導電型領域３２と第２導電型領域３４が中間膜２０の上で連続的に形成された半導体層３０内に一緒に位置して同一平面上に位置することができる。そして、第１導電型領域３２と第２導電型領域３４との間に、これらと同一平面上にバリア領域３６が位置することができる。
【００５１】
第１及び第２導電型領域（３２、３４）とバリア領域３６、または半導体層３０は、半導体基板１２と、他の結晶構造を有することができる。一例として、第１及び第２導電型領域（３２、３４）とバリア領域３６、または半導体層３０は、非晶質半導体、微結晶半導体、または多結晶半導体（一例として、非晶質シリコン、微結晶シリコン、または多結晶シリコン）などを含み、第１導電型領域３２は、第１導電型ドーパントを含み、第２導電型領域３４は、第２導電型ドーパントを含むことができる。バリア領域３６は、第１及び第２導電型ドーパントがドーピングされない真性またはアンドフト半導体で構成されることができる。このとき、第１及び第２導電型領域（３２、３４）とバリア領域３６、または半導体層３０が、多結晶半導体を有すると、高いキャリア移動度を有することができる。このとき、第１及び第２導電型領域（３２、３４）とバリア領域３６、または半導体層３０が非晶質半導体を有すると、単純な工程によって形成されることができる。
【００５２】
このとき、ベース領域１２ａが第２導電型を有すると、ベース領域１２ａと、他の導電型を有する第１導電型領域３２は、エミッタ領域で機能し、ベース領域１２ａと同じ導電型を有する第２導電型領域３４は、後面電界（back surface field）領域で機能する。バリア領域３６は、第１導電型領域３２と第２導電型領域３４を物理的に離隔させ、これらが接触する場合に発生することができるシャント（shunt）を防止することができる。
【００５３】
このとき、第１導電型領域３２の面積（一例として、幅）が第２導電型領域３４の面積（一例として、幅）より大きくなることがある。これによれば、エミッタ領域で機能する第１導電型領域３２が後部電界領域で機能する第２導電型領域３４より広い面積を有して光電変換に有利で有り得る。
【００５４】
このように、第１及び第２導電型領域（３２、３４）が中間膜２０を間に置いて、半導体基板１２と、他の別個の層で構成される。これにより、半導体基板１２にドーパントをドーピングして形成されたドーピング領域を導電型領域で使用する場合より、再結合による損失を最小化することができる。そしてバリア領域３６を真性またはアンドフト半導体で構成してバリア領域３６の形成工程を単純化することができる。
【００５５】
しかし、本発明がこれに限定されるものではない。したがって中間膜２０を備えないことがある。または、第１及び第２導電型領域（３２、３４）の内、少なくとも１つが、半導体基板１２の一部にドーパントがドーピングされて形成されて半導体基板１２の一部を構成するドーピング領域で構成することもできる。そしてバリア領域３６を備えないか、バリア領域３６が、半導体物質以外の他の物質を含むことができる。その他の様々な変形が可能である。
【００５６】
ここで、第１または第２導電型ドーパントがｐ型である場合には、ボロン（Ｂ）、アルミニウム（Ａｌ）、ガリウム（Ｇａ）、インジウム（Ｉｎ）などの３族元素を使用することができる。第１または第２導電型ドーパントがｎ型である場合には、リン（Ｐ）、ヒ素（Ａｓ）、ビスマス（Ｂｉ）、アンチモン（Ｓｂ）などの５族元素を使用することができる。一例として、第１及び第２導電型ドーパントの内、いずれか１つがボロン（Ｂ）であり、他の一つは、リン（Ｐ）で有り得る。
【００５７】
半導体基板１２の前面上には前面パッシベーション膜２４と反射防止膜２６が位置（一例として、接触）することができ、導電型領域（３２、３４）、または半導体層３０上にコンタクトホール４０ａを備える後面パッシベーション膜４０が位置（一例として、接触）することができる。前面パッシベーション膜２４と反射防止膜２６は、半導体基板１２の前面上に全体的に形成され、後面パッシベーション膜４０は、半導体層３０の上でコンタクトホール４０ａを除外した部分に全体的に形成されることができる。一例として、前面パッシベーション膜２４、反射防止膜２６、または後面パッシベーション膜４０は、優れた絶縁特性、パッシベーション特性などを有することができるようにドーパントなどを備えないことがある。
【００５８】
一例として、前面パッシベーション膜２４、反射防止膜２６または後面パッシベーション膜４０は、シリコン窒化膜、水素を含むシリコン窒化膜、シリコン酸化膜、シリコン酸化窒化膜、アルミニウム酸化膜、シリコン炭化膜、ＭｇＦ２、ＺｎＳ、ＴｉＯ２及びＣｅＯ２からなる群から選択されたいずれか１つの単一膜または２つ以上の膜が組み合わせた多層膜構造を有することができる。
【００５９】
そして、第１電極４２がコンタクトホール４０ａを介して第１導電型領域３２に電気的に接続（一例として、接触）し、第２電極４４がコンタクトホール４０ａを介して第２導電型領域３４に電気的に接続（一例として、接触）することができる。第１電極４２及び第２電極４４は、伝導性物質（一例として、金属）で構成されることができる。
【００６０】
一例として、本実施の形態において、第１及び第２電極（４２、４４）は、銅とスズを含み、前述したように、第１方向に延長されて形成される第１及び第２フィンガー部（４２ａ、４４ａ）を含むことができる。このような第１及び第２フィンガー部（４２ａ、４４ａ）は、半導体基板１２の一面上に１００個以上位置することができる。これにより、キャリアの移動距離を減らすことができ、キャリアを安定的に収集して伝達することができる。ここで、第１及び第２フィンガー部（４２ａ、４４ａ）の厚さが１０μｍ以上であることがある。しかし、本発明がこれに限定されるものではない。
【００６１】
このような太陽電池１０は、配線材１４２を含む配線部１４０によって、他の太陽電池１０と電気的に接続される。配線材１４２または配線部１４０は、伝導性物質（一例として、金属）を備え、外部との接続または太陽電池１０との接続のための部分である。以下においては、図４を参照して、太陽電池１０と配線部１４０の構造をさらに詳細に説明する。
【００６２】
図４は、図１に示した太陽電池パネル１００に含まれ、互いに隣接した二つの太陽電池１０、配線材１４２、接続配線１４４、絶縁部材（ＩＰ）及び接続部材（ＣＰ）の概略を示した後面平面図である。図４においては、太陽電池１０の電極（４２、４４）と配線部１４０の接続構造を説明するために、電極（４２、４４）と配線部１４０の接続構造を主として電極（４２、４４）の構造の概略のみ示した。図４に示された電極（４２、４４）及び配線材２０の数、形状等に、本実施の形態が限定されず、本実施の形態に係る電極（４２、４４）、絶縁部材（ＩＰ）、接続部材（ＣＰ）、配線材１４２の具体的な構造、配置等は、図５及び図６を参照して、後でさらに詳細に説明する。明確な区別のために以下においては、互いに隣接した二つの太陽電池１０を第１太陽電池１０ａ及び第２太陽電池１０ｂと称する。
【００６３】
このような太陽電池１０には、配線材１４２を含む配線部１４０が電気的に接続されて、他の太陽電池１０または外部回路との電気的接続を可能にする。このとき、本実施の形態においては、電極（４２、４４）と配線部１４０が重畳された複数の重畳部の内、互いに接続しなければならない部分には、電極（４２、４４）と配線部１４０との間に接続部材（ＣＰ）が位置し、互いに接続してはならない部分には、電極（４２、４４）と配線部１４０との間に絶縁部材（ＩＰ）が位置する。
【００６４】
第１太陽電池１０ａの第１電極４２と、これに隣接する第２太陽電池１０ｂの第２電極４４は、複数の配線材１４２及び接続配線１４４によって接続されることができる。
【００６５】
本実施の形態において、電極（４２、４４）は、第１方向（図面のｙ軸方向）に延長され、これに交差する第２方向（図面のｘ軸方向）で互いに交互に位置する複数の第１及び第２電極（４２、４４）を含む。そして配線材１４２は、第２方向に延長され、第１電極４２に電気的に接続される第１配線１４２ａ、及び第２方向に延長され、第２電極４４に電気的に接続される第２配線１４２ｂを含むことができる。第１配線１４２ａが複数備えられ、第２配線１４２ｂが複数備えられ、第１方向で第１配線１４２ａと第２配線１４２ｂが互いに交互に位置することができる。複数の第１及び第２配線（１４２ａ、１４２ｂ）が均一な間隔を有しながら、第１及び第２電極（４２、４４）に接続されて、キャリアを効果的に伝達することができる。
【００６６】
このとき、第１配線１４２ａは、各太陽電池１０に備えられた第１電極４２に接続部材（ＣＰ）を介して電気的に接続され、第２配線１４２ｂは、それぞれの太陽電池１０に備えられた第２電極４４に接続部材（ＣＰ）を介して電気的に接続される。そして絶縁部材（ＩＰ）により第１配線１４２ａと第２電極４４、及び、第２配線１４２ｂと第１電極４２が互いに絶縁されることができる。
【００６７】
接続部材（ＣＰ）は、様々な導電性を有する接着物質を含むことができる。例えば、接続部材（ＣＰ）は、第１及び第２電極（４２、４４）、及び/または配線材１４２に含まれる物質を含む物質、またはこれらの混合物で形成することができる。一例として、接続部材（ＣＰ）は、配線材１４２を第１または第２電極（４２、４４）の上に置き熱を加える工程等により第１及び第２電極（４２、４４）及び/または配線材１４２の物質を含むことができる。または、接続部材（ＣＰ）がスズ又はこれを含む合金を含むはんだペースト層、スズ、またはこれを含む合金がエポキシ樹脂内に含まれるエポキシはんだペースト層などを含むことができる。このように接続部材（ＣＰ）は、はんだまたはエポキシのような電極（４２、４４）と配線材１４２の物理的な固定または接着のための接着物質を備えている。これにより、接続部材（ＣＰ）が電極（４２、４４）と配線材１４２を電気的及び物理的に固定することができる。一例として、接続部材（ＣＰ）が電極（４２、４４）と配線材１４２に接触形成されて電極（４２、４４）と配線材１４２を物理的及び電気的に接続することができる。
【００６８】
絶縁部材（ＩＰ）は、少なくとも電気的に互いに接続されてはならない第１配線１４２ａと第２電極４４の間に位置してこれらを電気的に絶縁することができる。同様に、絶縁部材（ＩＰ）が、少なくとも電気的に互いに接続されてはならない第２配線１４２ｂと第１電極４２の間に位置してこれらを電気的に絶縁することができる。絶縁部材（ＩＰ）は、様々な絶縁物質を含むことができる。例えば、絶縁部材（ＩＰ）は、シリコン系樹脂、エポキシ系樹脂、ウレタン系樹脂、アクリル系樹脂、ポリイミド、ポリエチレンなどを含むことができる。
【００６９】
以下においては図４〜図６を参照して、本実施の形態に係る電極（４２、４４）の構造、絶縁部材（ＩＰ）及び接続部材（ＣＰ）の構造、配線材１４２の配置などを詳細に説明する。
【００７０】
図５は図４のＡ乃至Ｄ部分の半導体基板１２、電極（４２、４４）及び配線材１４２を拡大して示した平面図であり、図６は、図４のＡ乃至Ｄ部分の半導体基板１２、電極（４２、４４）、絶縁部材（ＩＰ）及び接続部材（ＣＰ）を拡大して示す平面図である。簡略な図示のために、図５には、絶縁部材（ＩＰ）及び接続部材（ＣＰ）を示さながった。
【００７１】
図４〜図６を参照すると、本実施の形態において、半導体基板１２は、角付近に傾斜部１４を備える。さらに具体的に、第２方向の第１端（Ｅ１）（図５の上側端）で、傾斜部１４は、第１方向の一側（図５の右側）に位置する第１傾斜部１４ａと、第１方向の他側（図５の左側）に位置する第２傾斜部１４ｂを含むことができる。そして第２方向で第１端（Ｅ１）と反対の第２端（Ｅ２）（図５の下側の端）で、傾斜部１４は、第１方向の一側に位置する第３傾斜部１４ｃと、第１方向の他側に位置する第４傾斜部１４ｄを含むことができる。そして、第１端（Ｅ１）で第１方向の第１傾斜部１４ａと第２傾斜部１４ｂとの間に第１メイン部分１６ａが位置する。第２端（Ｅ２）で第２方向の第３傾斜部１４ｃと第４傾斜部１４ｄとの間に第２メイン部分１６ｂが位置する。
【００７２】
前述したように、第１及び第２配線（１４２ａ、１４２ｂ）が第２方向に延長され、第１方向で互いに交互に位置するが、本実施の形態においては、各傾斜部１４（すなわち、第１傾斜部１４ａ、第２傾斜部１４ｂ、第３傾斜部１４ｃ、第４傾斜部１４ｄのそれぞれ）に第１配線１４２ａが少なくとも一つ位置し、第２配線１４２ｂが、少なくとも一つ位置することができる。このように、第１及び第２配線（１４２ａ、１４２ｂ）が多数備えられる場合には、各傾斜部１４にも第１及び第２配線（１４２ａ、１４２ｂ）が位置することになる。このとき、傾斜部１４によって、電極（４２、４４）が、他の部分より短い長さに形成された部分が存在することになるが、これによって、キャリアの移動距離が増加することができる。本実施の形態においては、傾斜部１４からの電極（４２、４４）の構造を改善して、これを防止することができる。
【００７３】
具体的に、本実施の形態において、第１電極４２は、複数の第１フィンガー部４２ａと、第１接続部４２ｃを含むことができる。さらに具体的に、複数の第１フィンガー部４２ａは、第１方向に延長される複数の第１内側フィンガー部４２１ａと、第２方向の端（Ｅ１、Ｅ２）に隣接部分から第１方向に平行に延長される複数の第１外側フィンガー部４２２ａを含むことができる。そして、第１接続部４２ｃが傾斜部１４に隣接する部分で、複数の第１外側フィンガー部４２２ａの少なくとも一部を接続することができる。
【００７４】
一例として、第１電極４２は、第１端（Ｅ１）に隣接部分から第１傾斜部１４ａと第２傾斜部１４ｂとの間に位置する複数の第１外側フィンガー部４２２ａと、第２端（Ｅ２）に隣接部分から第３傾斜部１４ｃと第４傾斜部１４ｄとの間に位置する複数の第１外側フィンガー部４２２ａと、第１及び第２端（Ｅ１、Ｅ２）にそれぞれ隣接した第１外側フィンガー部４２２ａとの間に位置する複数の第１内側フィンガー部４２１ａを含むことができる。そして、第１接続部４２ｃが第１傾斜部１４ａに隣接する一側から複数の第１外側フィンガー部４２２ａの少なくとも一部を接続し、また、他の第１接続部４２ｃが第３傾斜部１４ｃに隣接する一側から複数の第１外側フィンガー部４２２ａの少なくとも一部を接続することができる。
【００７５】
第１接続部４２ｃは、複数の第１外側フィンガー部４２２ａと交差する方向に延長されることができる。具体的に、第１接続部４２ｃが傾斜部１４と平行に延長されてこれに隣接して位置する複数の第１外側フィンガー部４２２ａの少なくとも一部の端部を接続することができる。一例として、本実施の形態においては、第１接続部４２ｃが第１傾斜部１４ａと平行に延長されてこれに隣接して位置する複数の第１外側フィンガー部４２２ａの少なくとも一部の端部を接続し、また他の第１接続部４２ｃが第３傾斜部１４ｃと平行に延長されてこれに隣接して位置する複数の第１外側フィンガー部４２２ａの少なくとも一部の端部を接続することができる。
【００７６】
これと同様に、第２電極４４は、複数の第２フィンガー部４４ａと、第２接続部４４ｃを含むことができる。ここで、第２方向で第１フィンガー部４２ａと第２フィンガー部４４ａは、一つずつ交互に位置することができる。複数の第２フィンガー部４４ａは、第１方向に延長される複数の第２内側フィンガー部４４１ａと、第２方向の端（Ｅ１、Ｅ２）に隣接部分から第１方向に平行に延長された複数の第２外側フィンガー部４４２ａを含むことができる。そして第２接続部４４ｃが傾斜部１４に隣接する部分で、複数の第２外側フィンガー部４４２ａの少なくとも一部を接続することができる。
【００７７】
一例として、第２電極４４は、第１端（Ｅ１）に隣接部分から第１傾斜部１４ａと第２傾斜部１４ｂとの間で第１外側フィンガー部４２２ａと交互に位置する複数の第２外側フィンガー部４４２ａと、第２端（Ｅ２）に隣接部分から第３傾斜部１４ｃと第４傾斜部１４ｄとの間で第１外側フィンガー部４２２ａと交互に位置する複数の第２外側フィンガー部４４２ａと、第１及び第２端（Ｅ１、Ｅ２）にそれぞれ隣接した第２外側フィンガー部４４２ａとの間に位置する複数の第２内側フィンガー部４４１ａを含むことができる。そして第２接続部４４ｃが第２傾斜部１４ｂに隣接する他側で複数の第２外側フィンガー部４４２ａの少なくとも一部を接続し、また他の第２接続部４４ｃが第４傾斜部１４ｄに隣接する他側で複数の第１外側フィンガー部４２２ａの少なくとも一部を接続することができる。
【００７８】
第２接続部４４ｃは、複数の第２外側フィンガー部４４２ａと交差する方向に延長されることができる。さらに具体的に、第２接続部４４ｃが傾斜部１４と平行に延長されてこれに隣接して位置する複数の第２外側フィンガー部４４２ａの内、少なくとも一部の端部を接続することができる。一例として、本実施の形態においては、第２接続部４４ｃが第２傾斜部１４ｂと平行に延長されてこれに隣接して位置する複数の第２外側フィンガー部４４２ａの少なくとも一部の端部を接続し、また他の第２接続部４４ｃが第４傾斜部１４ｄと平行に延長されてこれに隣接して位置する複数の第２外側フィンガー部４４２ａの少なくとも一部の端部を接続することができる。
【００７９】
本実施の形態においては、接続部（４２ｃ、４４ｃ）によって傾斜部１４付近でのキャリアの移動経路を減らし直列抵抗を減らすことができる。これにより、太陽電池１０の充密度（ＦＦ）と効率を向上することができる。
【００８０】
さらに具体的に、第１及び第３傾斜部（１４ａ、１４ｃ）に隣接した第１及び第２メイン部分（１６ａ、１６ｂ）の一側（図の右側）から見ると、第１及び第３傾斜部（１４ａ、１４ｃ）から第２配線１４２ｂより第１配線１４２ａが離れて位置する。すなわち、第１方向から見ると、第１及び第２メイン部分（１６ａ、１６ｂ）の一側から第１及び第３傾斜部（１４ａ、１４ｃ）に第２配線１４２ｂが最も隣接して位置し、次に第１配線１４２ａが位置する。
【００８１】
このとき、本実施の形態とは違って、第１接続部４２ｃを備えない場合、第１及び第２端（Ｅ１、Ｅ２）に隣接部分から第１及び第３傾斜部（１４ａ、１４ｃ）付近で生成された第１キャリアは、第１及び第３傾斜部（１４ａ、１４ｃ）に位置する第１配線１４２ａに移動することができない。これにより、図５の第１経路（Ｐ１）で表示したように、第１及び第２メイン部分（１６ａ、１６ｂ）の一側に位置する第１配線１４２ａまで移動しなければならないので、第１キャリアの移動経路が長い。反面、第１及び第３傾斜部（１４ａ、１４ｃ）に第１接続部４２ｃを備えると、図５の第２経路（Ｐ２）に示したように、第１及び第２端（Ｅ１、Ｅ２）に隣接部分から第１及び第３傾斜部（１４ａ、１４ｃ）付近で生成された第１キャリアは、第１接続部４２ｃを経由して第１及び第３傾斜部（１４ａ、１４ｃ）に位置する第１配線１４２ａに移動することができる。これにより、第１経路（Ｐ１）による場合より、第１キャリアの移動経路を減らすことができる。
【００８２】
そして、第２及び第４傾斜部（１４ｂ、１４ｄ）に隣接した第１及び第２メイン部分（１６ａ、１６ｂ）の他側（図の左側）から見ると、第２及び第４傾斜部（１４ｂ、１４ｄ）から第１配線１４２ａより第２配線１４２ｂが離れて位置する。すなわち、第１方向から見ると、第１及び第２メイン部分（１６ａ、１６ｂ）の他側で第２及び第４傾斜部（１４ｂ、１４ｄ）に第１配線１４２ａが最も隣接して位置し、その次に第２配線１４２ｂが位置する。
【００８３】
このとき、本実施の形態とは異なり、第２接続部４４ｃを備えない場合、第１及び第２端（Ｅ１、Ｅ２）に隣接部分から第２及び第４傾斜部（１４ｂ、１４ｄ）付近で生成された第２キャリアは、第２及び第４傾斜部（１４ｂ、１４ｄ）に位置する第２配線１４２ｂに移動することができない。これにより、図５の第３経路（Ｐ３）に示すように、第１及び第２メイン部分（１６ａ、１６ｂ）の他側に位置する第２配線１４２ｂまで移動しなければならないので、第２キャリアの移動経路が長い。反面、第２及び第４傾斜部（１４ｂ、１４ｄ）に第２接続部４４ｃを備えると、図５の第４経路（Ｐ４）で示すように、第１及び第２端（Ｅ１、Ｅ２）に隣接部分から第２及び第４傾斜部（１４ｂ、１４ｄ）付近で生成された第２キャリアは、第２接続部４４ｃを経由して第２及び第４傾斜部（１４ｂ、１４ｄ）に位置する第２配線１４２ｂに移動することができる。これにより、第３経路（Ｐ３）による場合より、第２キャリアの移動経路を減らすことができる。
【００８４】
このように、第１及び第２メイン部分（１６ａ、１６ｂ）の両側で互いに異なる極性に係る第１及び第２配線（１４ａ、１４ｂ）が位置する場合に、両側にそれぞれ第１及び第２接続部（４２ｃ、４４ｃ）を形成して、第１及び第２キャリアの移動経路をそれぞれ効果的に減らすことができる。しかし、本発明がこれに限定されるものではない。したがって、第１及び第２メイン部分（１６ａ、１６ｂ）の両側に同じ第１または第２配線（１４ａ、１４ｂ）が位置することができる。この場合にも、両側にそれぞれ第１及び第２接続部（４２ｃ、４４ｃ）を形成すると、傾斜部１４の一部の領域で、第１または第２キャリアの移動距離を減らすことができる部分が存在する。そのほかにも、第１及び第２配線（１４ａ、１４ｂ）の配置等により、第１及び第２接続部（４２ｃ、４４ｃ）の構造、配置などは多様に変形することができる。また、各傾斜部１４に隣接する部分での第１及び第２キャリアの移動経路を考慮して、各傾斜部１４に第１及び第２接続部（４２ｃ、４４ｃ）が互いに離隔されながら一緒に位置することもできる。これについては後で図１０を参照して、さらに詳細に説明する。
【００８５】
ここで、第１接続部４２ｃは、傾斜部１４から第２外側フィンガー部４４２ａと離隔して位置し、第２接続部４４ｃは、傾斜部１４から第１外側フィンガー部４２２ａと離隔して位置することができる。一例として、第１接続部４２ｃは、第１及び第３傾斜部（１４ａ、１４ｃ）のそれぞれで第２外側フィンガー部４４２ａの端部（ＥＰ２）と離隔して位置し、第２接続部４４ｃは、第２及び第４傾斜部（１４ｂ、１４ｄ）のそれぞれにおいて、第１外側フィンガー部４２２ａの端部（ＥＰ１）と離隔して位置することができる。すなわち、第１接続部４２ｃが位置する第１及び第３傾斜部（１４ａ、１４ｃ）から第２外側フィンガー部４４２ａの端部（ＥＰ２）が第１接続部４２ｃの内側でこれと離隔して位置し、第２接続部４４ｃが位置する第２及び第４傾斜部（１４ｂ、１４ｄ）の第１外側フィンガー部４２２ａの端部（ＥＰ１）が第２接続部４４ｃの内側で、これと離隔するように位置することができる。これにより、所望しないシャントなどの問題を防止することができる。
【００８６】
例えば、第１傾斜部１４ａ及び/または第３傾斜部１４ｃから第１接続部４２ｃと第２外側フィンガー部４４２ａの端部（ＥＰ２）との間の第１距離（Ｄ１）が第１接続部４２ｃの第１幅（Ｗ１）と同じか、それより大きいことがある。そして第２傾斜部１４ｂ及び／または第４傾斜部１４ｄから第２接続部４４ｃと第１外側フィンガー部４２２ａの端部（ＥＰ１）との間の第２距離（Ｄ２）が、第２接続部４４ｃの第２幅（Ｗ２）と同じか、それより大きいことがある。ここで、第１距離（Ｄ１）と、第２距離（Ｄ２）は、最短距離を意味することができる。そして、第１幅（Ｗ１）と、第２幅（Ｗ２）は、第１または第２接続部（４２ｃ、４４ｃ）の延長方向と直交する方向の第１または第２接続部（４２ｃ、４４ｃ）の線幅（一例として、最大線幅）で有り得る。これにより、所望しないシャントなどの問題を効果的に防止することができる。特に、第１距離（Ｄ１）が第１幅（Ｗ１）より大きく、第２距離（Ｄ２）が第２幅（Ｗ２）より大きければ、所望しないシャントなどの問題をさらに効果的に防止することができる。
【００８７】
そして、第１距離（Ｄ１）が第１接続部４２ｃと第１傾斜部１４ａとの間の第１外郭距離（Ｄ１０）と同じかそれより大きいことができ、第２距離（Ｄ２）が第２接続部（４４ｃ）と第２傾斜部１４ｂとの間の第２外郭距離（Ｄ２０）と同じかそれより大きいことができる。ここで、第１外郭距離Ｄ１０、第２外郭距離Ｄ２０は、最短距離を意味することができる。これにより、所望しないシャントなどの問題を効果的に防止することができる。特に、第１距離（Ｄ１）が第１外郭距離（Ｄ１０）より大きく、第２距離（Ｄ２）が第２外郭距離（Ｄ２０）より大きければ、所望しないシャントなどの問題をさらに効果的に防止することができる。
【００８８】
本実施の形態において、第１接続部４２ｃの第１幅（Ｗ１）が第２方向の第１外側フィンガー部４２２ａの幅と第１内側フィンガー部４２１ａの幅とそれぞれ同じかまたはそれより小さいことができる。一例として、第１接続部４２ｃの第１幅（Ｗ１）が第２方向の第１外側フィンガー部４２２ａの幅と第１内側フィンガー部４２１ａよりそれぞれ小さいことができる。そして第２接続部４４ｃの第２幅（Ｗ２）が第２方向の第２外側フィンガー部４４２ａの幅と第２内側フィンガー部４４１ａの幅とそれぞれ同じかそれより小さいことができる。一例として、第２接続部４４ｃの第２幅（Ｗ２）が第２方向の第２外側フィンガー部４４２ａの幅と第２内側フィンガー部４４１ａの幅よりそれぞれ小さいことができる。第１幅（Ｗ１）と第２幅（Ｗ２）が相対的に大きい公差等により、所望しないように第１接続部４２ｃ及び/または第２接続部４４ｃが傾斜部１４に隣接して、所望しない不良、特性の変化などの問題が発生することもあるからである。
【００８９】
前述したように、第２導電型領域３４の幅が第１導電型領域３２の幅より小さいことがあるので、これに接続される第２電極４４の幅が第１電極４２の幅と同じか、それより小さいことができる。さらに具体的には、第２接続部４４ｃの幅が第１接続部４２ｃの幅と同じか、それより小さいことができ、第２フィンガー部４４ａの幅が第１フィンガー部４２ａの幅と同じかまたはそれより小さいことができる。一例として、第２接続部４４ｃの幅が第１接続部４２ｃの幅よりも小さいことができ、第２フィンガー部４４ａの幅が第１フィンガー部４２ａの幅より小さいことができる。これによれば、第１及び第２導電型領域（３２、３４）の幅を考慮して、第１及び第２電極（４２、４４）を形成することができ、製造工程時に発生することができる公差等による不良などの問題を防止することができる。
【００９０】
前述したように、第２方向で第１フィンガー部４２ａと第２フィンガー部４４ａが交互に位置し、第１及び第２配線（１４２ａ、１４２ｂ）が第２方向に延長され、第１方向で互いに交互に位置する。このとき、第１配線１４２ａが第２方向の一側（図の上側）から外部に延長され、第２方向の他側（図の下側）に第１配線１４２ａの端部（ＥＰ３）が位置することができる。このとき、第１配線１４２ａの端部（ＥＰ３）は、各太陽電池１０の内部で傾斜部１４及び接続部（４２ｃ、４４ｃ）から離隔して位置することができる。そして第２配線１４２ｂが第２方向の他側（図の下側）から外部に延長され、第２方向の一側に第２配線１４２ｂの端部（ＥＰ４）が位置することができる。このとき、第２配線１４２ｂの端部（ＥＰ４）は、各太陽電池１０の内部で傾斜部１４及び接続部（４２ｃ、４４ｃ）から離隔して位置することができる。それでは、第１及び第２配線（１４２ａ、１４２ｂ）の端部（ＥＰ３、ＥＰ４）が位置する部分で相対的に薄い幅を有する接続部（４２ｃ、４４ｃ）の形状が変化する、傾斜部１４で所望しないシャントなどが発生することを効果的に防止することができる。
【００９１】
一例として、第１傾斜部１４ａにおいては、第１配線１４２ａが外部に延長され第２配線１４２ｂの端部（ＥＰ４）が第１傾斜部１４ａ及び第１接続部４２ｃと離隔されて、太陽電池１０の内部に位置することができる。そして第２傾斜部１４ｂにおいては、第１配線１４２ａが外部に延長され、第２配線１４２ｂの端部（ＥＰ４）が第２傾斜部１４ｂ及び第２接続部４４ｃと離隔されて、太陽電池１０の内部に位置することができる。第３傾斜部１４ｃでは、第２配線１４２ｂが外部に延長され、第１配線１４２ａの端部（ＥＰ３）が第３傾斜部１４ｃと、第１接続部４２ｃと離隔されて、太陽電池１０の内部に位置することができる。そして第４傾斜部１４ｄでは、第２配線１４２ｂが外部に延長され、第１配線１４２ａの端部（ＥＰ）が第４傾斜部１４ｄ及び第２接続部４４ｃと離隔されて、太陽電池１０の内部に位置することができる。
【００９２】
前述したように、第１電極４２と第１配線１４２ａとの間、及び第２電極４４と第２配線１４２ｂとの間に接続部材（ＣＰ）が備えられ、第２電極４４と第１配線１４２ａとの間、及び第１電極４２と第２配線１４２ｂとの間に絶縁部材（ＩＰ）が備えられる。
【００９３】
ところで、傾斜部１４または接続部（４２ｃ、４４ｃ）と隣接する部分においては、第１または第２配線（１４２ａ、１４２ｂ）が通り過ぎる部分で、第１または第２配線（１４２ａ、１４２ｂ）が所望しない接続部（４２ｃ、４４ｃ）または外側フィンガー部（４２２ａ、４４２ａ）に接続されるなどの問題が発生することができる。これを防止するために傾斜部１４または接続部（４２ｃ、４４ｃ）に隣接する部分で絶縁部材（ＩＰ）の形状、及び絶縁部材（ＩＰ）と接続部材（ＣＰ）の配置を他の部分と異なるようにすることができる。
【００９４】
傾斜部１４または接続部（４２ｃ、４４ｃ）と隣接しない部分に位置するメイン絶縁部材（ＭＩＰ）と接続部材（ＣＰ）は、第１方向で第１または第２配線（１４２ａ、１４２ｂ）に対応する部分に位置し、第２方向で交互に一つずつ位置する。メイン絶縁部材（ＭＩＰ）は、延長絶縁部材（ＥＩＰ）と、他のサイズまたは形状を有することができる。第１配線１４２ａが位置する部分で、第１電極４２（さらに具体的に、第１フィンガー部４２ａ）の上に位置する接続部材（ＣＰ）及び第２電極４４の上に位置するメイン絶縁部材（ＭＩＰ）が第２方向で交互に位置することができる。そして第２配線１４２ｂが位置する部分で第２電極４４（さらに具体的に、第２フィンガー部４４ａ）の上に位置する接続部材（ＣＰ）と、第１電極４２の上に位置するメイン絶縁部材（ＭＩＰ）が第２方向で交互に配置することができる。第１方向から見ると、第１電極４２の上で第１配線１４２ａに対応する接続部材（ＣＰ）と第２配線１４２ｂに対応するメイン絶縁部材（ＭＩＰ）が交互に位置し、第２電極４４の上で第２配線１４２ｂに対応する接続部材（ＣＰ）と、第１配線１４２ａに対応するメイン絶縁部材（ＭＩＰ）が交互に位置することができる。ここで、優れた絶縁特性のために、第１方向でメイン絶縁部材（ＭＩＰ）の幅が接続部材（ＣＰ）の幅と第１または第２配線（１４２ａ、１４２ｂ）の幅より大きいことができる。これは、第１または第２配線（１４２ａ、１４２ｂ）を取り付けるために圧力を加えた時、第１または第２配線（１４２ａ、１４２ｂ）が第１方向で両側に押されることができることを考慮したものである。
【００９５】
そして傾斜部１４または接続部（４２ｃ、４４ｃ）に隣接しながら、第１または第２配線（１４２ａ、１４２ｂ）が通ったり、第１または第２配線（１４２ａ、１４２ｂ）の端部（ＥＰ３、ＥＰ４）が位置する部分にはこれと電気的に接続されてはならない、複数の外側フィンガー部（４２２ａ、４４２ａ）と、これらの間に位置し、これと反対の極性を有する外側フィンガー部（４２２ａ、４４２ａ）を一緒に覆うように第２方向に延長されて形成される延長絶縁部材（ＥＩＰ）が位置することができる。
【００９６】
一例として、第１傾斜部１４ａと、これに形成された第１接続部４２ｃに隣接しながら第１配線１４２ａが通り過ぎる部分に、第１配線１４２ａと接続されてはならない、複数の第２外側フィンガー部４４２ａと、これらの間に位置する少なくとも一つの第１外側フィンガー部４２２ａを覆う第１延長絶縁部材（ＥＩＰ１）が位置することができる。第１傾斜部１４ａと、これに形成された第１接続部４２ｃに隣接しながら、第２配線１４２ｂの端部（ＥＰ４）が位置する部分に、第２配線１４２ｂと接続されてはならない、複数の第１外側フィンガー部４２２ａと、これらの間に位置する少なくとも一つの第２外側フィンガー部４４２ａを覆う第２延長絶縁部材（ＥＩＰ２）が位置することができる。
【００９７】
第２傾斜部１４ｂと、これに形成された第２接続部４４ｃに隣接しながら第１配線１４２ａが通り過ぎる部分に、第１配線１４２ａと接続されてはならない、複数の第２外側フィンガー部４４２ａと、これらの間に位置する少なくとも一つの第１外側フィンガー部４２２ａを覆う第１延長絶縁部材（ＥＩＰ１）が位置することができる。第２傾斜部１４ｂと、これに形成された第２接続部４４ｃに隣接しながら第２配線１４２ｂの端部（ＥＰ４）が位置する部分に、第２配線１４２ｂと接続されてはならない、複数の第１外側フィンガー部４２２ａと、これらの間に位置する少なくとも一つの第２外側フィンガー部４４２ａを覆う第２延長絶縁部材（ＥＩＰ２）が位置することができる。
【００９８】
このとき、第１及び第２傾斜部（１４ａ、１４ｂ）から外側に延長される第１配線１４２ａに関連する第１延長絶縁部材（ＥＩＰ１）は、第１または第２接続部（４２ｃ、４４ｃ）を覆うように位置することができる。これにより、第１配線１４２ａが位置する部分で、第１または第２接続部（４２ｃ、４４ｃ）の形状変化によるシャントなどの問題を効果的に防止することができる。そして、第１及び第２傾斜部（１４ａ、１４ｂ）に端部（ＥＰ４）が位置する第２配線１４２ｂに関連する第２延長絶縁部材（ＥＩＰ２）は、第１または第２接続部（４２ｃ、４４ｃ）と離隔して位置することができる。これにより、第２延長絶縁部材（ＥＩＰ２）の材料費などを減らすことができる。しかし、本発明がこれに限定されるものではない。したがって、第１及び第２延長絶縁部材（ＥＩＰ１、ＥＩＰ２）が第１または第２接続部（４２ｃ、４４ｃ）を覆うように位置することもあり、第１または第２接続部（４２ｃ、４４ｃ）を覆わないように位置することができる。
【００９９】
そして第３傾斜部１４ｃと、これに形成された第１接続部４２ｃに隣接しながら第１配線１４２ａの端部（ＥＰ３）が位置する部分に、第１配線１４２ａと接続されてはならない複数の第２外側フィンガー部４４２ａと、これらの間に位置する少なくとも一つの第１外側フィンガー部４２２ａを覆う第１延長絶縁部材（ＥＩＰ１）が位置することができる。第３傾斜部１４ｃと、これに形成された第１接続部４２ｃに隣接しながら第２配線１４２ｂが通り過ぎる部分に第２配線１４２ｂと接続されてはならない、複数の第１外側フィンガー部４２２ａと、これらの間に位置する少なくとも一つの第２外側フィンガー部４４２ａを覆う第２延長絶縁部材（ＥＩＰ２）が位置することができる。
【０１００】
第４傾斜部１４ｄと、これに形成された第２接続部４４ｃに隣接しながら第１配線１４２ａの端部（ＥＰ３）が位置する部分に、第１配線１４２ａと接続されてはならない、複数の第２外側フィンガー部４４２ａと、これらの間に位置する少なくとも一つの第１外側フィンガー部４２２ａを覆う第１延長絶縁部材（ＥＩＰ１）が位置することができる。第４傾斜部１４ｄと、これに形成された第２接続部４４ｃに隣接しながら、第２配線１４２ｂが通り過ぎる部分に、第２配線１４２ｂと接続されてはならない、複数の第１外側フィンガー部４２２ａと、これらの間に位置する少なくとも一つの第２外側フィンガー部４４２ａを覆う第２延長絶縁部材（ＥＩＰ２）が位置することができる。
【０１０１】
この時、第３及び第４傾斜部（１４ｃ、１４ｄ）から外側に延長される第２配線１４２ｂに関連する第２延長絶縁部材（ＥＩＰ２）は、第１または第２接続部（４２ｃ、４４ｃ）を覆うように位置することができる。これにより、第２配線１４２ｂが位置する部分で、第１または第２接続部（４２ｃ、４４ｃ）の形状変化によるシャントなどの問題を効果的に防止することができる。そして第３及び第４傾斜部（１４ｃ、１４ｄ）の端部に位置する第１配線１４２ａに関連する第１延長絶縁部材（ＥＩＰ１）は、第１または第２接続部（４２ｃ、４４ｃ）と離隔されて位置することができる。これにより、第１延長絶縁部材（ＥＩＰ１）の材料費などを減らすことができる。しかし、本発明がこれに限定されるものではない。したがって、第１及び第２延長絶縁部材（ＥＩＰ１、ＥＩＰ２）は、第１または第２接続部（４２ｃ、４４ｃ）を覆うように位置することも、第１または第２接続部（４２ｃ、４４ｃ）を覆わないように位置することができる。
【０１０２】
前述したように、延長絶縁部材（ＥＩＰ）は、連結部（４２ｃ、４４ｃ）に隣接して位置するので、第１方向で延長絶縁部材（ＥＩＰ）の幅がメイン絶縁部材（ＭＩＰ）の幅の半分以下の部分を含むことができる。接続部材（ＣＰ）またはメイン絶縁部材（ＭＩＰ）は、第１方向に延長されるおおよその長方形形状を有することができる。延長絶縁部材（ＥＩＰ）は、メイン絶縁部材（ＭＩＰ）の幅の半分以下の幅を有する第１辺を少なくとも一つ含み、第１辺と反対になり、第１辺と平行な第２辺、第１方向から傾斜部と反対になる第１及び第２辺の一端を第１及び第２辺に垂直に接続する第３辺、第１方向で傾斜部に隣接した第１及び第２辺の他端を傾斜部と平行に接続する第４辺を含む直角台形形状を有することができる。例えば、延長絶縁部材（ＥＩＰ）は、第１方向で接続部材（ＣＰ）より小さい幅を有する部分（すなわち、少なくとも第１辺に隣接する部分）を含むことができ、第２方向で接続部材（ＣＰ）より大きい長さを有することができる。
【０１０３】
前述した説明においては、第１及び第３傾斜部（１４ａ、１４ｃ）にそれぞれ第１接続部４２ｃが位置し、第２及び第４傾斜部（１４ｂ、１４ｄ）にそれぞれ第２接続部４４ｃが位置することを例示した。しかし、本発明がこれに限定されるものではない。
【０１０４】
一例として、第１及び第３傾斜部（１４ａ、１４ｃ）のいずれか１つに第１接続部４２ｃが位置し、他の一つに第２接続部４４ｃが位置することができる。または、第２及び第４傾斜部（１４ｂ、１４ｄ）の１つに第１接続部４２ｃが位置し、他の一つに第２接続部４４ｃが位置することができる。この場合にも、各傾斜部１４に位置する第１及び第２接続部（４２ｃ、４４ｃ）によって、傾斜部１４の一部の領域で、第１または第２キャリアの移動距離を減らすことができる部分が存在する。
【０１０５】
別の例として、第１及び第３傾斜部（１４ａ、１４ｃ）の内、いずれか１つに第１接続部４２ｃが位置し、又は第２及び第４傾斜部（１４ｂ、１４ｄ）の内、いずれか１つに第２接続部４４ｃが位置することができる。一例として、第１及び第３傾斜部（１４ａ、１４ｃ）の内、第１配線１４２ａが外部に延長される一側に位置する第１傾斜部１４ａに第１接続部４２ｃが位置することができる。そして第２及び第４傾斜部（１４ｂ、１４ｄ）の内、第２配線１４２ｂが外部に延長される他側に位置した第４傾斜部１４ｄに第２接続部４４ｃが位置することができる。これにより、第１または第２配線（１４２ａ、１４２ｂ）が第１または第２接続部（４２ｃ、４４ｃ）を通り過ぎるように位置して、キャリアの移動距離を効果的に減らすことができる。しかし、本発明がこれに限定されるものではない。第１及び第３傾斜部（１４ａ、１４ｃ）の内、第３傾斜部１４ｃに第１接続部４２ｃが位置し、及び/または第２及び第４傾斜部（１４ｂ、１４ｄ）の内、第２傾斜部１４ｄに第２接続部４４ｃが位置することもできる。その他の様々な変形が可能である。
【０１０６】
また、本実施の形態においては、第１電極４２及び第２電極４４のそれぞれが、第１及び第２接続部（４２ｃ、４４ｃ）を備えたことを例示した。しかし、本発明がこれに限定されるものではなく、第１及び第２電極（４２、４４）の内、少なくとも１つが接続部（４２ｃ、４４ｃ）を備えることもできる。
【０１０７】
このように、各傾斜部１４で接続部（４２ｃ、４４ｃ）の形成可否、第１及び第２接続部（４２ｃ、４４ｃ）の配置は、多様に変形することができる。
【０１０８】
本実施の形態に係ると、傾斜部１４に形成された連結部（４２ｃ、４４ｃ）によって傾斜部１４に隣接する部分でキャリアの移動経路を減らすことができる。これにより直列抵抗を低減し、充密度を向上させることができ、太陽電池１０の効率を向上することができる。接続部（４２ｃ、４４ｃ）は、電極（４２、４４）を形成する工程で形成されるため、別途の工程を追加しない単純な工程で太陽電池１０の効率を向上することができる。また、前述した太陽電池１０を含み、傾斜部１４に配線１４２が位置する太陽電池パネル１００の出力損失を効果的に低減して、太陽電池パネル１００の出力を向上することができる。ここで、太陽電池パネル１００の出力損失は、セルをモジュール化しながら、発生することができるセル−ツー−モジュールの損失（cell to module loss、ＣＴＭ loss）を意味することができる。
【０１０９】
以下においては、本発明の他の実施の形態に係る太陽電池及びこれを含む太陽電池パネルを詳細に説明する。前述した説明と同一又は極めて類似の部分については詳細な説明を省略し、互いに異なる部分についてのみ詳細に説明する。そして、前述した実施の形態またはこれを変形した例と下の実施の形態またはこれを変形した例を、互いに結合したものもまた、本発明の範囲に属する。
【０１１０】
図７は、本発明の他の実施の形態に係る太陽電池パネルに含まれる太陽電池と配線材を示す平面図である。図７は図４のＡ乃至Ｄの部分に対応する部分の半導体基板、電極及び配線材を拡大して示す平面図であり、簡略な図示のために、図７には、絶縁部材及び接続部材を図示しながった。
【０１１１】
前述した図５を参照した実施の形態においては、第１及び第２接続部（４２ｃ、４４ｃ）が複数の外側フィンガー部（４２２ａ、４４２ａ）の端部を全体的に接続して、製造工程を単純化し、安定的にキャリアの移動経路を提供することができる。しかし、本発明がこれに限定されるものではない。
【０１１２】
図７に示すように、第１及び第２接続部（４２ｃ、４４ｃ）が複数の外側フィンガー部（４２２ａ、４４２ａ）の端部を全体的に接続せずに、複数の外側フィンガー部（４２２ａ、４４２ａ）の一部だけを部分的に接続することができる。図７においては、一例として、第１及び第２接続部（４２ｃ、４４ｃ）が複数の外側フィンガー部（４２２ａ、４４２ａ）の内、隣接した二つの外側フィンガー部（４２２ａ、４４２ａ）をそれぞれ接続するように複数形成され、このような複数の第１及び第２接続部（４２ｃ、４４ｃ）が各傾斜部１４から離隔するように位置したことを例示した。これにより、各傾斜部１４から複数の外側フィンガー部（４２２ａ、４４２ａ）の端部が第１及び第２接続部（４２ｃ、４４ｃ）によって接続された部分と接続されてない部分が交互に位置することができる。これによれば、第１及び第２接続部（４２ｃ、４４ｃ）の形成面積を減らして材料コストを節減しながらも、キャリアの移動距離を減らす効果を実現することができる。
【０１１３】
図７においては、第１及び第２接続部（４２ｃ、４４ｃ）が互いに同一または類似の形状または配置を有したものを例示したが、第１及び第２接続部（４２ｃ、４４ｃ）の内、少なくとも１つが、前述した形状または配置を有することができる。また、第１及び第２接続部（４２ｃ、４４ｃ）が隣接した二つの外側フィンガー部（４２２ａ、４４２ａ）を接続し、これらを互いに離隔して位置することを例示したが、本発明がこれに限定されるものではない。第１または第２接続部（４２ｃ、４４ｃ）によって接続される外側フィンガー部（４２２ａ、４４２ａ）の数、第１または第２接続部（４２ｃ、４４ｃ）によって接続されない外側フィンガー部（４２２ａ、４４２ａ）の数と、各傾斜部１４から第１または第２接続部（４２ｃ、４４ｃ）の数、配置などは多様に変形することができる。
【０１１４】
図８は、本発明のまた他の実施の形態に係る太陽電池パネルに含まれる太陽電池と配線材を示す平面図である。図８は、図４のＡ乃至Ｄの部分に対応する部分の半導体基板、電極及び配線材を拡大して示す平面図であり、簡略な図示のために図８には、絶縁部材との接続部材を図示しながった。
【０１１５】
図８に示すように、第１及び第２接続部（４２ｃ、４４ｃ）が複数の外側フィンガー部（４２２ａ、４４２ａ）の端部と共に、複数の内側フィンガー部（４２１ａ、４４１ａ）の端部を全体的に接続することができる。図８においては、一例として、第１接続部４２ｃが第１方向の一側（図の右側）から複数の第１外側フィンガー部４２２ａ、複数の第１内側フィンガー部４２１ａ、及び複数の第１外側フィンガー部（４４２ａ）を全体的に接続するように形成され、第２接続部４４ｃが第１方向の他側（図の左側）から複数の第２外側フィンガー部４４２ａ、複数の第２内側フィンガー部４４１ａ、及び複数の第２外側フィンガー部４４２ａを全体的に接続するように形成されたことを例示した。これによれば、第１及び第２接続部（４２ｃ、４４ｃ）を安定的に形成しながら、キャリアの移動距離を効果的に減らすことができる。
【０１１６】
図８においては、第１及び第２接続部（４２ｃ、４４ｃ）が互いに同一または類似の形状または配置を有したことを例示したが、第１及び第２接続部（４２ｃ、４４ｃ）の内、少なくとも１つが、前述した形状または配置を有することができる。また、第１または第２接続部（４２ｃ、４４ｃ）が複数の外側フィンガー部（４２２ａ、４４２ａ）及び複数の内側フィンガー部（４２１ａ、４４１ａ）の内、少なくとも一部のみを接続する構造を有することができる。第１または第２接続部（４２ｃ、４４ｃ）によって接続される外側フィンガー部（４２２ａ、４４２ａ）または内側フィンガー部（４２１ａ、４４１ａ）の数、配置、形状などは多様に変形することができる。
【０１１７】
図９及び図１０は、それぞれ、本発明のまた他の実施の形態に係る太陽電池パネルに含まれる太陽電池及び配線材を示す平面図である。図９及び図１０は、それぞれ図４のＡ乃至Ｄの部分に対応する部分の半導体基板、電極及び配線材を拡大して示す平面図であり、簡略な図示のために、図９及び図１０には、絶縁部材及び連結部材を示さなかった。
【０１１８】
図９に示すように、第１及び第２接続部（４２ｃ、４４ｃ）の内、少なくとも１つが、各傾斜部１４から、一部の外側フィンガー部（４２２ａ、４４２ａ）を接続することができる。例えば、第１方向に見るとき、外部に延長される第１または第２配線（１４２ａ、１４２ｂ）の内、最も外側に位置する配線（１４２ａ、１４２ｂ）の内側にのみ第１または第２接続部（４２ｃ、４４ｃ）が形成されることができる。すなわち、第１配線１４２ａが外部に延長される第１端（Ｅ１）に隣接する部分では、第１傾斜部１４ａから第１方向の第１配線１４２ａの内側に第１接続部４２ｃが位置し、及び/または第２傾斜部１４ｂから第１方向の第１配線１４２ａの内側に第２接続部４４ｃが位置することができる。そして第２配線１４２ｂが外部に延長される第２端（Ｅ２）に隣接する部分においては、第３傾斜部１４ｃから第１方向の第２配線１４２ｂの内側に第１接続部４２ｃが位置し、及び/または第４傾斜部１４ｄから第１方向の第２配線１４２ｂの内側に第２接続部４４ｃが位置することができる。該当部分で、第１または第２配線（１４２ａ、１４２ｂ）に向かう第１または第２キャリアの移動経路を効果的に減らすことができるので、キャリアの移動経路を減らすのに大きく貢献できる部分にのみ第１または第２接続部（４２ｃ、４４ｃ）が位置して効率を向上することができる。
【０１１９】
または、図１０に示すように、一つの傾斜部１４に第１及び第２接続部（４２ｃ、４４ｃ）が一緒に位置することもできる。例えば、各傾斜部１４に隣接する部分で、第１方向に見るとき、外部に延長される第１または第２配線（１４２ａ、１４２ｂ）の内、最も外側に位置する配線（１４２ａ、１４２ｂ）の内側に第１または第２接続部（４２ｃ、４４ｃ）が形成され、外側に第２または第１接続部（４４ｃ、４２ｃ）が形成されることができる。すなわち、第１配線１４２ａが外部に延長される第１端（Ｅ１）の第１傾斜部１４ａから第１方向の第１配線１４２ａの内側に第１接続部４２ｃが位置し、第１方向の第１配線１４２ａの外側に第２接続部４４ｃが位置することができる。そして、第１配線１４２ａが外部に延長される第１端（Ｅ１）の第２傾斜部１４ｂで第１方向からの第１配線１４２ａの内側に第２接続部４４ｃが位置し、第１方向からの第１配線１４２ａの外側に第１接続部４２ｃが位置することができる。同様に、第２配線１４２ｂが外部に延長される第２端（Ｅ２）の第３傾斜部１４ｃで第１方向の第２配線１４２ｂの内側に第１接続部４２ｃが位置し、第１方向の第２配線１４２ｂの外側に第２接続部４４ｃが位置することができる。第２配線１４２ｂが外部に延長される第２端（Ｅ２）の第４傾斜部１４ｄで第１方向の第２配線１４２ｂの内側に第２接続部４４ｃが位置し、第１方向の第２配線１４２ｂの外側に第１接続部４２ｃが位置することができる。これによれば、各傾斜部１４で第１及び第２キャリアの移動経路をそれぞれ効果的に減らすことができ、これによる効果を最大化することができる。しかし、本発明がこれに限定されるものではなく、各傾斜部１４で第１及び第２接続部（４２ｃ、４４ｃ）の配置、形状、個数などは多様に変形することができる。
【０１２０】
以下、本発明の製造例を参照して、本発明をさらに詳細に説明する。しかし、後述する本発明の製造例は、例示のために提示したものに過ぎず、本発明がこれに限定されるものではない。
【０１２１】
製造例１
【０１２２】
ｎ型単結晶半導体基板の一面にシリコン酸化膜で構成される中間膜を形成した。トンネリング層の上に、低圧化学気相蒸着によって多結晶シリコンを含む半導体層を形成した。そして、半導体層の一部の領域にｐ型ドーパントをドーピングし、他の領域にｎ型ドーパントをドーピングして、それぞれ第１導電型領域と第２導電型領域を備える半導体層を形成した。そして、前面パッシベーション膜、反射防止膜、後面パッシベーション膜を形成してコンタクトホールを形成した。コンタクトホールを介して第１導電型領域と第２導電型領域にそれぞれ電気的に接続される第１電極及び第２電極を形成した。第１及び第２電極は、図４に示すように、第１及び第２端の両側に第１及び第２接続部を備えた。
【０１２３】
そして、接続部材及び絶縁部材を用いて、第１及び第２電極の延長方向と交差する方向に第１及び第２配線を接続し、これをシール材とカバー部材と一緒にラミネートして太陽電池パネルを形成した。
【０１２４】
比較例１
【０１２５】
第１及び第２電極を形成する工程において、第１及び第２接続部を形成しないものを除外する製造例１と同様の方法で、複数の太陽電池及びこれを含む太陽電池パネルを形成した。
【０１２６】
製造例１と比較例１により製造された複数の太陽電池の平均効率と製造例１及び比較例１に基づいて製造された太陽電池パネルの出力損失をそれぞれ測定し、その結果を図１１及び図１２に示した。
【０１２７】
図１１を参照すると、比較例１に係る太陽電池より製造例１に係る太陽電池で高効率を有することが分かる。さらに具体的に、製造例１に係る太陽電池は、比較例１に係る太陽電池に比べて０．０７％ほど高い効率を有することができる。図１２を参照すると、比較例１に係る太陽電池を用いて、太陽電池パネルを製造した場合より、製造例１に係る太陽電池を用いて、太陽電池パネルを製造した場合に、出力損失が低いことがわかる。さらに具体的に、製造例１に係る太陽電池パネルは、比較例１に係る太陽電池パネルに比べて、出力損失が２２％ほど低い値を有する。これは接続部によって、キャリアの移動距離を減らし、他の特性の低下なしで抵抗を減らしたためと予測される。
【０１２８】
前述したところに係る特徴、構造、効果などは、本発明の少なくとも一つの実施の形態に含まれ、必ずしも一つの実施の形態のみに限定されるものではない。さらに、各実施の形態において例示された特徴、構造、効果などは、実施の形態が属する分野の通常の知識を有する者によって他の実施の形態に対しても組み合わせて、または変形して実施可能である。したがって、このような組み合わせと変形に係る内容は、本発明の範囲に含まれるものと解釈されるべきである。
【図１】
2020113760.tif 000003
【図２】
2020113760.tif 000004
【図３】
2020113760.tif 000005
【図４】
2020113760.tif 000006
【図５】
2020113760.tif 000007
【図６】
2020113760.tif 000008
【図７】
2020113760.tif 000009
【図８】
2020113760.tif 000010
【図９】
2020113760.tif 000011
【図１０】
2020113760.tif 000012
【図１１】
2020113760.tif 000013
【図１２】
2020113760.tif 000014